(57)【要約】【課題】室外機本体の側面から吸い込んだ空気を上方へ吹き出す上吹き出しタイプの室外機において、装置のコンパクト化を図る。【解決手段】室外機本体５と、この室外機本体５内に配置された熱交換器１３と、室外機本体５の上部に設けられ、当該室外機本体５の側面から吸い込んだ空気を上方へ吹き出す送風機２３と、室外機本体５の内部を熱交換器１３が配置される熱交換室４１と圧縮機１１を含む機器類が配置される機械室３９とに区画する区画壁４０と、を備えている空気調和装置の室外機であって、区画壁４０は、室外機本体５の下部から上部にわたって上下方向に延びるとともに、熱交換室４１と機械室３９とを水平方向に区画している。【選択図】      図３
2013076521.tif 000002
【特許請求の範囲】
【請求項１】
室外機本体（５）と、この室外機本体（５）内に配置された熱交換器（１３）と、前記室外機本体（５）の上部に設けられ、当該室外機本体（５）の側面から吸い込んだ空気を上方へ吹き出す送風機（２３）と、前記室外機本体（５）の内部を前記熱交換器（１３）が配置される熱交換室（４１）と圧縮機（１１）を含む機器類が配置される機械室（３９）とに区画する区画壁（４０）と、を備えている空気調和装置の室外機であって、
前記区画壁（４０）は、前記室外機本体（５）の下部から上部にわたって上下方向に延びるとともに、前記熱交換室（４１）と前記機械室（３９）とを水平方向に区画していることを特徴とする空気調和装置の室外機。
【請求項２】
前記室外機本体（５）は平面形状が四角形に形成されており、
前記熱交換器（１３）が、前記室外機本体（５）の４つの側面に対向して配置されている請求項１に記載の空気調和装置の室外機。
【請求項３】
前記区画壁（４０）は、前記熱交換器（１３）の一の側端部（３２ａ）と他の側端部（３５ａ）とに架設されている請求項２に記載の空気調和装置の室外機。
【請求項４】
前記区画壁（４０）と、前記熱交換器（１３）の側端部（３２ａ，３５ａ）とがシールされた状態で連結されている、請求項３に記載の空気調和装置の室外機。
【請求項５】
前記機械室（３９）が、前記室外機本体（５）の平面視における１つの角部（５Ａ）に設けられている請求項１〜４のいずれかに記載の空気調和装置の室外機。
【請求項６】
前記区画壁（４０）は、その上部側に、前記機械室（３９）の平面範囲を徐々に減少させ、これに相対して前記熱交換室（４１）の平面範囲を徐々に増大させる傾斜部（４２ａ〜４２ｃ）を有している、請求項１〜５のいずれかに記載の空気調和装置の室外機。
【請求項７】
前記区画壁（４０）における前記熱交換室（４１）側の側面には、内部を流れる空気を整流するための整流促進構造（５０）が設けられている、請求項１〜６のいずれかに記載の空気調和装置の室外機。
【発明の詳細な説明】
【技術分野】
【０００１】
本発明は、空気調和装置の室外機に関する。
【背景技術】
【０００２】
下記特許文献１には、室外機本体（ケーシング）の上部に送風ファンが設けられ、この送風ファンの駆動によって室外機本体の側面から内部に取り入れた空気を上方へ吹き出すように構成された上吹き出しタイプの室外機が開示されている。この室外機は、室外機本体の上部に熱交換器を配置した熱交換室が設けられ、室外機本体の下部に圧縮機や電装品等を配置した機械室が設けられ、熱交換室と機械室とが区画壁によって上下に区画されている。
熱交換室には、室外機本体の４つの側面に対向して熱交換器が配置されている。また、区画壁は、熱交換室内の熱交換器において発生した結露水を受けるドレンパンとしても機能している。
【先行技術文献】
【特許文献】
【０００３】
【特許文献１】特開２００５−９８６２５号公報
【発明の概要】
【発明が解決しようとする課題】
【０００４】
特許文献１の室外機は、熱交換室と機械室とが区画壁によって区画されているので、熱交換室内における空気の流れを制御しやすいという利点がある。
しかし、熱交換室と機械室とが上下方向に並べて配置されているので熱交換室の高さをそれほど高くすることができず、熱交換器における空気の流通面積を十分確保するためには、室外機の前後方向又は左右方向の幅を大きくしなければならない。そのため、室外機を設置するために広いスペースが必要となり、設置場所の制限が大きくなる。
【０００５】
また、特許文献１の室外機は、機械室が室外機本体の下部側に設けられるので、機械室内の機器に対するメンテナンス等を低い姿勢で行わなければならず、作業性が悪化するという欠点もある。
さらに、特許文献１の室外機は、熱交換室において発生した結露水等の水分がその下方の機械室に浸入する可能性を否めないため、機械室内の電装品を電装品箱で覆い、水分から保護する必要がある。そのため、部品点数が多くなると共に電装品箱の放熱性をも考慮する必要が生じる。
また、機械室は、その外周を囲う４面のパネルが必要であるため、これによっても部品点数が多くなり、コストの増大等を招く。
【０００６】
本発明は、上記の実情に鑑みてなされたものであり、室外機本体の側面から吸い込んだ空気を上方へ吹き出す上吹き出しタイプの室外機において、装置のコンパクト化を図ることを主たる目的とする。
【課題を解決するための手段】
【０００７】
（１）室外機本体と、この室外機本体内に配置された熱交換器と、前記室外機本体の上部に設けられ、当該室外機本体の側面から吸い込んだ空気を上方へ吹き出す送風機と、前記室外機本体の内部を前記熱交換器が配置される熱交換室と圧縮機を含む機器類が配置される機械室とに区画する区画壁と、を備えている空気調和装置の室外機であって、
前記区画壁は、前記室外機本体の下部から上部にわたって上下方向に延びるとともに、前記熱交換室と前記機械室とを水平方向に区画していることを特徴とする。
【０００８】
この構成によれば、室外機本体の上部から下部にわたる広い範囲で熱交換室を形成することができ、この熱交換室に配置される熱交換器の空気の流通面積を十分に確保することができる。したがって、熱交換器の空気の流通面積を確保するために室外機の前後方向又は左右方向の幅を拡大する必要がなく、室外機のコンパクト化を図ることができ、小さいスペースであっても室外機を設置することが可能となる。また、機械室についても室外機本体の上下方向にわたる広い範囲に形成することができるので、操作やメンテナンスの頻度の高い機器を機械室の上部側に配置することで、これらの作業性を高めることができる。また、室外機本体の内部は区画壁によって熱交換室と機械室とに区画されるので、機械室内の機器が熱交換室内の空気の流れを乱すことが無く、空気の流れを制御し易くすることができる。
【０００９】
（２）前記室外機本体は平面形状が四角形に形成されており、
前記熱交換器は、前記室外機本体の４つの側面に対向して配置されていることが好ましい。
このような構成によって、熱交換器における空気の流通面積をより増大させることができ、室外機のコンパクト化を図ることができる。
【００１０】
（３）前記区画壁は、前記熱交換器の一の側端部と他の側端部とに架設されていることが好ましい。
このような構成によって、熱交換室と機械室とを適切に区画することができるとともに、熱交換器を利用して区画壁を支持することができる。
【００１１】
（４）前記区画壁と前記熱交換器の側端部とはシールされた状態で連結されていることが好ましい。
このような構成によって、熱交換室を流れる空気が機械室に漏れてしまったり、外気が機械室から熱交換器を通過することなく熱交換室内に侵入してしまったりすることを防止し、熱交換効率を向上させることができる。また、熱交換室で発生した結露水等の水分が機械室内に浸入してしまうのを防止することができるので、機械室内には電装品箱に収容しない状態で電装品（電装品ユニット）を設けることができ、これによって部品点数減やコストダウンを図ることができると共に、電装品を電装品箱内に収容する場合に比べて電装品の放熱性を高めることができる。
【００１２】
（５）前記機械室は、前記室外機本体の平面視における１つの角部に設けられていることが好ましい。
このような構成によって、室外機本体の１つの角部に配置された２つの側面に対して機械室を覆うパネルを設ければよく、特許文献１記載の室外機のように機械室の全周を４枚のパネルによって覆う必要がない。したがって、室外機のコスト低減及び構造の簡素化等を図ることができる。また、室外機本体の外部に近い位置に機械室が配置されるため、機械室内の機器に対するメンテナンスや交換等の作業を容易に行うことができる。
【００１３】
（６）前記区画壁は、その上部側に、前記機械室の平面範囲を徐々に減少させ、これに相対して前記熱交換室の平面範囲を徐々に増大させる傾斜部を有していることが好ましい。
この構成によれば、送風機により近い室外機本体の上部側において熱交換室の平面範囲を増大させることによって、室外機本体から上方に吹き出される直前の空気の流通路を十分に確保し、通風抵抗を小さくすることができる。
【００１４】
（７）前記区画壁における前記熱交換室側の側面には、当該熱交換室の内部を流れる空気を整流するための整流促進構造が設けられていることが好ましい。
このような構成によって、熱交換室内の通風抵抗を小さくすることができる。
【発明の効果】
【００１５】
本発明によれば、室外機本体の側面から吸い込んだ空気を上方へ吹き出す上吹き出しタイプの室外機において、装置のコンパクト化を図ることができる。
【図面の簡単な説明】
【００１６】
【図１】本発明の第１の実施の形態に係る室外機を有する空気調和装置の冷媒回路を示す模式図である。
【図２】室外機の外観を示す斜視図である。
【図３】室外機の内部の平面図である。
【図４】室外機の側面パネル及びベルマウスを取り外した状態を示す概略的な斜視図である。
【図５】室外機の区画壁を熱交換室側から見た斜視図である。
【図６】室外機の区画壁を示す平面図である。
【図７】送風機のモータの支持構造を示す概略的な断面図である。
【図８】本発明の第２の実施の形態における区画壁を熱交換室側から見た斜視図である。
【図９】本発明の第３の実施の形態における区画壁を熱交換室側から見た斜視図である。
【図１０】本発明の第４の実施の形態における区画壁を熱交換室側から見た斜視図である。
【図１１】本発明の第５の実施の形態における区画壁を熱交換室側から見た説明図である。
【発明を実施するための形態】
【００１７】
図１は、本発明の第１の実施の形態に係る室外機を有する空気調和装置の冷媒回路を示す模式図である。
空気調和装置１は、例えばビル用のマルチタイプの空気調和装置であり、１つ又は複数の室外機２に対して複数の室内機３が並列に接続され、冷媒が流通できるように、冷媒回路１０が形成されている。
【００１８】
室外機２には、圧縮機１１、四路切換弁１２、室外熱交換器１３、室外膨張弁１４、及び送風機２３等が設けられている。また、室内機３には、室内膨張弁１５および室内熱交換器１６等が設けられている。四路切換弁１２と室内熱交換器１６とはガス側冷媒連絡配管１７ａにより接続され、室外膨張弁１４と室内膨張弁１５とは液側冷媒連絡配管１７ｂにより接続されている。室外機２の内部冷媒回路の端末部には、ガス側閉鎖弁１８と液側閉鎖弁１９とが設けられている。ガス側閉鎖弁１８は四路切換弁１２側に配置されており、液側閉鎖弁１９は室外膨張弁１４側に配置されている。ガス側閉鎖弁１８にはガス側冷媒連絡配管１７ａが接続され、液側閉鎖弁１９には液側冷媒連絡配管１７ｂが接続される。
【００１９】
上記構成の空気調和装置１において、冷房運転を行う場合には、四路切換弁１２が図１において実線で示す状態に保持される。圧縮機１１から吐出された高温高圧のガス状冷媒は、四路切換弁１２を介して室外熱交換器１３に流入し、送風機２３の作動により室外空気と熱交換して凝縮・液化する。液化した冷媒は、全開状態の室外膨張弁１４を通過し、液側冷媒連絡配管１７ｂを通って各室内機３に流入する。室内機３において、冷媒は、室内膨張弁１５で所定の低圧に減圧され、さらに室内熱交換器１６で室内空気と熱交換して蒸発する。そして、冷媒の蒸発によって冷却された室内空気は、図示しない室内ファンによって室内に吹き出され、当該室内を冷房する。また、室内熱交換器１６で蒸発して気化した冷媒は、ガス側冷媒連絡配管１７ａを通って室外機２に戻り、圧縮機１１に吸い込まれる。
【００２０】
他方、暖房運転を行う場合には、四路切換弁１２が図１において破線で示す状態に保持される。圧縮機１１から吐出された高温高圧のガス状冷媒は、四路切換弁１２を介して各室内機３の室内熱交換器１６に流入し、室内空気と熱交換して凝縮・液化する。冷媒の凝縮によって加熱された室内空気は、室内ファンによって室内に吹き出され、当該室内を暖房する。室内熱交換器１６において液化した冷媒は、全開状態の室内膨張弁１５から液側冷媒連絡配管１７ｂを通って室外機２に戻る。室外機２に戻った冷媒は、室外膨張弁１４で所定の低圧に減圧され、さらに室外熱交換器１３で室外空気と熱交換して蒸発する。そして、室外熱交換器１３で蒸発して気化した冷媒は、四路切換弁１２を介して圧縮機１１に吸い込まれる。
【００２１】
図２は、室外機２の外観を示す斜視図、図３は、室外機２の内部の平面図、図４は、室外機２の側面パネル２９及びベルマウス３０を取り外した状態を示す斜視図である。本実施の形態の室外機２は、室外機本体（ケーシング）５と、この室外機本体５に内蔵された室外熱交換器１３、圧縮機１１、四路切換弁１２等の冷媒回路１０（図１参照）を構成する機器と、室外機本体５の上部に設けられた送風機２３等を備えている。
【００２２】
室外機本体５は、略直方体形状に形成されており、底フレーム２６、支柱２７、横梁２８、側面パネル２９等を有している。底フレーム２６は、図３に示されるように平面視で四角形状に形成されている。また、本実施の形態の底フレーム２６の対向する２辺には、地面に接地する脚部２６ａ（図２参照）が設けられている。支柱２７は、断面形状が略Ｌ字状で上下方向に長い長尺部材からなり、底フレーム２６の４隅に取り付けられている。また、図４に示されるように、前部側の２本の支柱２７の上端部と、後部側の２本の支柱２７の上端部は、それぞれ横梁２８により連結されている。この支柱２７の上端部及び横梁２８には、送風機２３を取り囲むベルマウス３０（図２参照）が取り付けられている。ベルマウス３０は、平面視で底フレーム２６と略同一の四角形状に形成されている。また、前後の横梁２８には支持台３１が架設されており、この支持台３１に送風機２３が取り付けられている。
【００２３】
図７は、送風機２３のモータ２３ａの支持構造を概略的に示す説明図である。送風機２３のモータ２３ａには左右両側に突出する腕部２３ｂが設けられており、この腕部２３ｂが支持台３１に固定されている。支持台３１は、前後方向に細長く形成された左右一対の支持部材３７からなっている。各支持部材３７は、第１辺部３７ａと第２辺部３７ｂと有する断面略Ｌ字形状のアングル材から構成されている。そして、モータ２３ａの腕部２３ｂは、左右支持部材３７の第１辺部３７ａの上に載置されるとともに、第２辺部３７ｂによって左右の外側から位置決めされ、第１辺部３７ａに対してボルト等によって固定されている。このような構成によって、支持台３１に対するモータ２３ａの左右方向の位置決めを迅速且つ簡単に行うことができ、室外機２に対する送風機２３の組み付け作業性を向上させることができる。
【００２４】
室外熱交換器１３は、クロスフィンコイル式であり、アルミニウム製の多数のフィンを伝熱管が水平に貫通し、伝熱管を流れる冷媒と室外熱交換器１３を流通する空気との間で熱交換を行うように構成されている。室外熱交換器１３は、図３に示されるように、室外機本体５の１つの角部５Ａを除いた範囲で４つの側面に対向（対応）し、かつ４つの側面に沿って略四角形状に屈曲されている。具体的に、室外熱交換器１３は、室外機本体５の前側の側面（前面）に沿う前熱交換部３２と、左側の側面に沿う左熱交換部３３と、後側の側面（後面）に沿う後熱交換部３４と、右側の側面に沿う右熱交換部３５とを有している。そして、前熱交換部３２と左熱交換部３３との間、左熱交換部３３と後熱交換部３４との間、及び後熱交換部３４と右熱交換部３５との間が略９０度に屈曲されている。なお、室外熱交換器１３の各熱交換部３２〜３５は、室外機本体５の側面に対して必ずしも平行に対向していなくてもよく、傾斜した状態で対向していてもよい。また、本明細書において、室外機本体５の側面とは、外部に向いた実体的な側面、例えば、後述する側面パネル２９や室外熱交換器１３の外側面を覆う格子状の枠やパネルによって規定されるものであってもよいし、このような側面パネル２９等を備えていない場合には、底フレーム２６の４辺をそのまま上方に延長した仮想の面によって規定されてもよい。
【００２５】
前熱交換部３２の右側端部（室外熱交換器１３における一の側端部）３２ａと、右熱交換部３５の前側端部（同他の側端部）３５ａとの間には、開口部３６が設けられている。本実施の形態では、開口部３６が、右前側に配置された支柱２７によって２つに分けられており、以下の説明においては、室外機２の前面に配置された開口部３６を前開口部３６Ａといい、右側面に配置された開口部３６を右開口部３６Ｂという。
【００２６】
また、室外機本体５は、室外熱交換器１３の一の側端部３２ａと支柱２７との間、及びこの支柱２７と室外熱交換器１３の他の側端部３５ａとの間に、それぞれ側面パネル２９を着脱可能に備えており、この側面パネル２９によって前開口部３６Ａ及び右開口部３６Ｂがそれぞれ閉鎖されている。なお、図示はしていないが、室外機本体５の側面における室外熱交換器１３が配置された部分には、空気の流通が可能な格子状の枠やパネルが取り付けられていてもよい。
【００２７】
室外熱交換器１３が配置されていない室外機本体５の１つの角部５Ａには、圧縮機１１や四路切換弁１２、閉鎖弁１８，１９、電装品ユニット３８等の機器を配置するための機器配置領域Ｒが設定されている。機器配置領域Ｒは、室外熱交換器１３における前熱交換部３２の右側端部３２ａから後方に延びる仮想区画線α１と、右熱交換部３５の前側端部３５ａから左方向へ延びる仮想区画線α２と、角部５Ａに配置された室外機本体５の２側面（２枚の側面パネル２９）とによって囲まれた平面視四角形の範囲に設定されている。そして、この機器配置領域Ｒには、区画壁４０によって熱交換室４１と水平方向に区画された機械室３９が設けられている。
【００２８】
機械室３９内において、圧縮機１１は底フレーム２６上にボルト等によって固定されている。また、閉鎖弁１８，１９は、右前側の支柱２７に取り付けられた支持部材４５によって支持されている。電装品ユニット３８は、室外機２全体の制御基板や圧縮機１１の制御基板（インバータ基板）等を含んでいる。なお、図４には、機械室３９内の機器のうち、圧縮機１１，支持部材４５、及び電装品ユニット３８のみを示し、他を省略している。
【００２９】
区画壁４０は、室外熱交換器１３の一の側端部３２ａと他の側端部３５ａとの間に架設され、室外機本体５の上下方向の高さにわたって設けられている。具体的には、区画壁４０は、室外熱交換器１３における前熱交換部３２の右側端部３２ａから後方へ延びる側壁部４０ａと、室外熱交換器１３における右熱交換部３５の前側端部３５ａから左方向へ延びる後壁部４０ｂとを有している。また、後壁部４０ｂは、側壁部４０ａとの接続部においてやや前方へ傾斜した部分（傾斜壁部）４０ｃを有している。また、区画壁４０の上端部には上壁部４０ｄ（図５参照）が設けられており、この上壁部４０ｄによって室外機本体５の上部から機械室３９内への雨等の浸入が防止されている。
【００３０】
図３に示されるように、室外熱交換器１３の一の側端部３２ａと支柱２７との間に形成された前開口部３６Ａは、所定の幅Ｗを有している。具体的に、この前開口部３６Ａの幅Ｗは、機械室３９内に配置された機器、特に圧縮機１１の幅よりも大きく形成されている。したがって、前開口部３６Ａを閉鎖している側面パネル２９を取り外すことによって、機械室３９に対して前開口部３６Ａから圧縮機１１を出し入れすることが可能である。そのため、圧縮機１１の交換やメンテナンスを容易に行うことができる。さらに、機械室３９は、室外機本体５の１つの角部５Ａに設けられているので、室外機本体５の外部から機械室３９内の機器への距離が近くなり、機械室３９内の機器に対するメンテナンスを容易に行うことができる。
【００３１】
図３及び図４に示されるように、閉鎖弁１８，１９を支持する支持部材４５は、略長方形の板材から形成されており、その水平方向の一側部が支柱２７に対して片持ち状に取り付けられている。そのため支持部材４５の下方には空間が形成され、この空間を利用して機械室３９内の機器に対するメンテナンス等の作業を行うことが可能となる。また、図３に示されるように、支持部材４５は、前開口部３６Ａが形成された室外機本体５の前面に対して斜め（約４５°）に傾斜して配置されている。そのため、支持部材４５を前面側から見たときの左右方向の幅を可及的に小さくすることができ、支持部材４５が前開口部３６Ａを介して行われるメンテナンス等の作業の邪魔になるのを防止することができる。
【００３２】
前開口部３６Ａの幅Ｗは、室外機２の制御基盤等を含む電装品ユニット３８の幅に適合する幅に形成されており、この前開口部３６Ａに合わせて電装品ユニット３８が取り付けられている。具体的には、前開口部３６Ａの両側縁に位置する室外熱交換器１３の一の側端部３２ａと支柱２７とに電装品ユニット３８の幅方向両端部が取付ブラケット４６を介して取り付けられている。したがって、室外熱交換器１３の側端部３２ａと支柱２７とを利用して電装品ユニット３８を好適に機械室３９に取り付けることができる。
【００３３】
機械室３９は、室外機本体５の上下方向にわたる広い範囲で設けられている。したがって、例えば電装品ユニット３８のように操作やメンテナンスの頻度の高い機器を機械室３９の比較的高い位置に配置することによって、操作性やメンテナンス性を向上させることができる。
【００３４】
なお、上記においては前開口部３６Ａの幅Ｗが圧縮機１１を出し入れ可能な寸法に形成され、電装品ユニット３８が前開口部３６Ａに合わせて取り付けられているが、右開口部３６Ｂの幅が圧縮機１１を出し入れ可能な寸法に形成され、電装品ユニット３８が右開口部３６Ｂに合わせて取り付けられていてもよい。また、機械室３９内の機器の操作やメンテナンスは、右開口部３６Ｂを介して行うこともできる。
【００３５】
室外熱交換器１３の一の側端部３２ａには、Ｕ字状に湾曲する伝熱管１３ａが突出している。そして、室外熱交換器１３の側端部３２ａには、この伝熱管１３ａを覆うカバー部材４７が設けられている。カバー部材４７は、伝熱管１３ａを前後及び側方から取り囲むように断面コの字形状に形成されている。また、カバー部材４７は、室外熱交換器１３の上下方向の高さ全体にわたって設けられており、その下端部が底フレーム２６に固定され、上端部が前部側の横梁２８に固定されている。そして、カバー部材４７は、室外熱交換器１３から突出する伝熱管１３ａを覆うことで、この伝熱管１３ａにおいて発生した結露水等の水分が機械室３９内の部品に付着するのを防止している。
【００３６】
特に、本実施の形態においては、電装品ユニット３８の幅方向一側部がカバー部材４７の外面に取り付けられており、これによって伝熱管１３ａにおいて発生した結露水等の水分が電装品ユニット３８に付着するのを好適に防止することができる。また、カバー部材４７は、室外機本体５の上下方向にわたって設けられることによって室外機本体５の支柱としても機能しており、４本の支柱２７とともに室外機本体５の構造部材を構成し、室外機本体５の強度を高めている。
【００３７】
本実施の形態の室外機２は、図２に示されるように、送風機２３を作動させることによって室外機本体５の側面パネル２９を除く４つの側面から空気を吸い込み、室外熱交換器１３を通過させた後に当該空気を室外機本体５の上面から上方へ吹き出すように構成されている。区画壁４０（図３）によって区画された熱交換室４１は、室外機本体５の上下方向の高さ全体にわたって形成されているため、室外熱交換器１３における空気の流通面積を広く確保することができ、熱交換効率を高めることが可能となっている。したがって、室外熱交換器１３における空気の流通面積を確保するために、室外機本体５の前後方向又は左右方向の幅を大きくしなくてもよく、室外機２のコンパクト化が可能となる。
【００３８】
また、熱交換室４１が区画壁４０によって区画されているので、機械室３９内の機器によって空気の流れが乱されることがなく、空気の流れの制御を容易に行うことができるとともに、風切り音等の騒音を低減することができる。また、区画壁４０の両端部は、室外熱交換器１３の側端部３２ａ，３５ａに密着された状態（シールされた状態）で連結されている。具体的に、区画壁４０の一端部はカバー部材４７に密着した状態で連結され、他端部は、室外熱交換器１３の他の側端部３５ａにおける管板３５ａ１に密着した状態で連結されている。
【００３９】
そのため、室外熱交換器１３の側面から熱交換室４１の内部に流入した空気が機械室３９側へ漏れてしまうことはほとんどなく、しかも外気が室外熱交換器１３を通過せずに、機械室３９側から熱交換室４１に入り込んでしまうこともほとんどない。したがって、室外熱交換器１３における熱交換効率を高めることができる。また、熱交換室４１で発生した結露水等の水分が機械室３９内に浸入し難くなるので、機械室３９内には電装品箱に収容しない状態で電装品ユニット３８を配置することが可能となる。そのため、部品点数減やコストダウンを図ることができると共に、電装品箱に収容する場合に比べて電装品ユニット３８の放熱性を高めることができる。
【００４０】
図５は、室外機２の区画壁４０を熱交換室４１側から見た斜視図、図６は、室外機２の区画壁４０を示す平面図である。
本実施の形態の室外機本体５は、熱交換室４１の平面範囲の上部側ほど広く、これに相対して機械室３９の平面範囲が室外機本体５の上部側ほど狭くなるように、区画壁４０が形成されている。具体的に、区画壁４０の上部には、熱交換室４１側から機械室３９側へ凹む凹部４２が形成されている。この凹部４２は、区画壁４０における側壁部４０ａから折曲する第１傾斜面４２ａと、後壁部４０ｂから折曲する第２傾斜面４２ｂと、第１傾斜面４２ａ及び第２傾斜面４２ｂの間に設けられ、傾斜壁部４０ｃの上部から折曲する第３傾斜面４２ｃとからなる３つの傾斜面（傾斜部）によって構成されている。これらの傾斜面４２ａ〜４２ｃの上端縁は、上壁部４０ｄに連なっており、上壁部４０ｄは平面視で略Ｌ字形状に形成されている。
【００４１】
このように区画壁４０の上部に凹部４２が形成されることによって、室外機本体５の上部側における熱交換室４１の平面範囲が拡大されており、送風機２３によって室外機本体５から上方へ吹き出される直前の空気の流通路を十分に確保し、通風抵抗を小さくしてスムーズに空気を吹き出すことを可能にしている。また、図６に示されるように、凹部４２は、送風機２３の羽根の移動軌跡Ｋの下方に重複する範囲で形成されており、これによって、送風機２３の全体を空気の流通のために適切に機能させることができる。なお、凹部４２を構成する３つの傾斜面４２ａ〜４２ｃは、滑らかに連続する円弧面等の曲面により構成することができ、このように構成することによって通風抵抗をより低減することができる。また、凹部４２の各傾斜面４２ａ〜４２ｃと上壁部４０ｄとの境界部についても滑らかな曲面で形成することができる。
【００４２】
本実施の形態の室外機本体５は、機械室３９が室外機本体５の角部５Ａに設けられているので、機械室３９を覆うために２枚の側面パネル２９を備えればよい。そのため、従来技術（特許文献１）のように機械室の全周を覆う４枚の側面パネルを必要とせず、部品点数を少なくし、製造コストを低減することができる。
【００４３】
図８〜図１０は、本発明の第２〜第４の実施の形態における区画壁を熱交換室側から見た斜視図である。
図８に示される第２の実施の形態における区画壁４０は、後壁部４０ｂの上部側に形成された傾斜面４２ｄによって凹部４２が形成されており、図９に示される第３の実施の形態における区画壁４０は、側壁部４０ａの上部に形成された傾斜面４２ｅによって凹部４２が形成されている。さらに、図１０に示される第４の実施の形態における区画壁４０は、側壁部４０ａ及び後壁部４０ｂの双方に形成された傾斜面４２ｅ，４２ｄによって凹部４２が形成されている。これらのいずれの構成によっても、室外機本体５の上部側において熱交換室４１の平面領域を拡大し、熱交換室４１の通風抵抗を小さくすることができる。
【００４４】
図１１は、本発明の第５の実施の形態における区画壁を熱交換室側から見た説明図である。
本実施の形態の区画壁４０には、熱交換室４１内を流れる空気を整流するための整流促進構造５０が設けられている。この整流促進構造５０は、区画壁４０の側壁部及び／又は後壁部における熱交換室４１側の表面に形成された溝や凸条（以下、「溝等」という）５１からなり、溝等５１に略沿った空気の流れを生成することが可能となっている。具体的に、図１１（ａ）に示される整流促進構造５０は、上下方向に沿って形成された溝等５１からなり、図１１（ｂ）に示される整流促進構造５０は、上下方向に対して斜めに（螺旋状に）傾斜した溝等５１からなり、図１１（ｃ）に示される整流促進構造５０は、略逆向きのＵ字形状の溝等５１からなっている。なお、整流促進構造５０は、多数の突起を空気の整流方向に列設することによって構成することもできる。
【００４５】
本発明は、上記各実施の形態に限定されるものではなく、特許請求の範囲に記載された発明の範囲内において、適宜変更することが可能である。
例えば、本発明は、室外機本体５の３つの側面に沿ってコの字状に配置された室外熱交換器１３を備えている室外機２に対しても適用することが可能である。
【００４６】
また、上記実施の形態の室外機２は、１台の圧縮機１１を備えていたが、２台以上の圧縮機１１を備えていてもよい。この場合においても、前開口部３６Ａの開口幅Ｗは、１台の圧縮機１１を出し入れ可能な幅とし、複数台の圧縮機１１を前開口部３６Ａから１台ずつ順番に出し入れできるように構成することができる。
【００４７】
室外機本体５の機械室３９内には、室外熱交換器１３を除き冷媒回路１０を構成する全ての室外機２側の機器が配置されていてもよいが、少なくとも水との接触が問題となる機器、例えば、電力が供給される圧縮機１１、電装品ユニット３８、電動弁（四路切換弁１２や膨張弁１４）等の機器のみが配置され、その他の機器は熱交換室４１内に配置されていてもよい。
【符号の説明】
【００４８】
１  空気調和装置
２  室外機
５  室外機本体
１１  圧縮機
１３  室外熱交換器
２３  送風機
３２ａ  熱交換器の一の側端部
３５ａ  熱交換器の他の側端部
３９  機械室
４０  区画壁
４１  熱交換室
４２  凹部
４２ａ〜４２ｃ  傾斜部
５０  整流促進構造
【図１】
2013076521.tif 000003
【図２】
2013076521.tif 000004
【図３】
2013076521.tif 000005
【図４】
2013076521.tif 000006
【図５】
2013076521.tif 000007
【図６】
2013076521.tif 000008
【図７】
2013076521.tif 000009
【図８】
2013076521.tif 000010
【図９】
2013076521.tif 000011
【図１０】
2013076521.tif 000012
【図１１】
2013076521.tif 000013